(57)【特許請求の範囲】
【請求項１】
紙幣の補充及び回収のための着脱可能なカセットと、
金種別の紙幣を収納するスタッカと、
機械運用中にリジェクトされた紙幣を収納する第１及び第２のリジェクトボックスと、
顧客が取忘れた紙幣を収容する取忘れ取込みリジェクトボックスが所定の位置に装着されているか否かを検知するセンサと、
紙幣を鑑別する鑑別部と、
上位装置からの命令の通信を行う通信制御部を有する制御ユニットとを具備し、
前記制御ユニットは、前記センサが、前記取忘れ取込みリジェクトボックスが所定の位置に装着されていることを検知しない場合は、前記第１及び第２のリジェクトボックスをそれぞれ取忘れ取込みリジェクトボックス及び運用リジェクトボックスとして動作させ、
前記センサが、前記取忘れ取込みリジェクトボックスが所定位置に装着されていることを検知した場合は、前記第１及び第２のリジェクトボックスの内何れか一方を運用リジェクトボックスとして動作させ、その後、前記通信制御部が前記上位装置から受けたリモート精査命令により、前記カセット内の現金有り高を確認する精査命令を実施した場合は、他方のリジェクトボックスを運用リジェクトボックスとして動作するように、切り換えることを特徴とする紙幣入出金自動取引機。
【請求項２】
機械運用中は、前記第１及び第２のリジェクトボックスが取り外し不可となる様にロックされることを特徴とする請求項１記載の紙幣入出金自動取引機。
【請求項３】
前記第１及び第２のリジェクトボックスは、取忘れリジェクトボックスであるか、運用リジェクトボックスであるか、を識別可能な識別手段を有することを特徴とする請求項１又は２記載の紙幣入出金自動取引機。
【請求項４】
前記識別手段は、スライドスイッチであることを特徴とする請求項３記載の紙幣入出金自動取引機。
【発明の詳細な説明】
【０００１】
【発明の属する技術分野】
本発明は、金融機関等の店舗に設置され、顧客等の操作に基き入出金取引を行う紙幣入出金自動取引機（ＡＴＭ）に関する。
【０００２】
紙幣入出金自動取引機の普及は目覚しく、最近になり銀行等の金融機関の店舗のみでなく、スーパーマーケット或いはコンビニエンスストア等の店舗内にも設置されるようになってきた。
【０００３】
ＡＴＭは紙幣の補充及び回収のための着脱可能なカセットを具備しており、必要に応じてカセット内の現金有り高を確認するため、精査命令によりカセット内の現金有り高を計数する処理が行われる。
【０００４】
金融機関から遠隔地にある店舗に設置されたＡＴＭでは、係員が現場まで行かずに精査を実行できるリモート精査対応型ＡＴＭが普及してきている。
【０００５】
【従来の技術】
図１は従来の紙幣入出金自動取引機（ＡＴＭ）の概略構成図である。符号２は紙幣の補充及び回収のための着脱可能なＦカセットであり、例えば一万円札を収容する。
【０００６】
Ｒカセット４も同様に着脱可能であり、例えば千円札を収容する。Ｆカセット２から繰り出された一万円札はＦスタッカ６に収容され、Ｒカセット４から繰り出された千円札はＲスタッカ８に収容される。
【０００７】
符号１０はリジェクトボックスであり着脱可能に装着されている。リジェクトボックス１０は仕切１２により損券等の運用リジェクト紙幣を収容する運用リジェクトボックス１４と、顧客が取忘れた紙幣を収容する取忘れ取込みリジェクトボックス１６に分割されている。
【０００８】
【発明が解決しようとする課題】
近年、ＡＴＭの運用に関する多様性が求められ、金融機関の店舗内ではなく、スーパーマーケット又はコンビニエンスストア等の店舗内にＡＴＭを設置することが普及してきている。
【０００９】
このような店舗内に設置されたＡＴＭについて、遠隔地からのリモート精査命令によって、ＡＴＭのカセット内の現金有り高を確認する場合、ＡＴＭが精査命令を受け、各カセット内の現金を計数して有り高を確定する。
【００１０】
その際、汚れや折れなどが原因で鑑別不良によるリジェクトが発生するので、
カセット内の有り高=計数紙幣+運用リジェクト紙幣
になる。
【００１１】
従来のＡＴＭでは、図１に示すように運用リジェクトボックス１４と取忘れ取込みリジェクトボックス１６を一体化したリジェクトボックス１０を使用しているので、リモート精査命令による精査後ＡＴＭが運用を開始すると、係員到着までの入出金取引でのリジェクト紙幣が運用リジェクトボックス１４内に入ってしまい、精査前の運用リジェクト紙幣と精査後の運用リジェクト紙幣とを区別できないことになる。
【００１２】
よって従来では、リモート精査終了後、係員到着までの間はＡＴＭの運用を休止せざるを得なかった。ＡＴＭを設置した店舗が遠隔地にある場合には、現場に係員が到着するまでに長時間を要するのでＡＴＭの稼動効率が非常に悪くなり、利用者に不便をかけるという問題があった。
【００１３】
本発明はこのような点に鑑みてなされたものであり、その目的とするところは、リモート精査後直ちに運用を再開することのできる紙幣入出金自動取引機を提供することである。
【００１４】
【課題を解決するための手段】
本発明によると、紙幣の補充及び回収のための着脱可能なカセットと、金種別の紙幣を収納するスタッカと、機械運用中にリジェクトされた紙幣を収納する第１及び第２のリジェクトボックスと、顧客が取忘れた紙幣を収容する取忘れ取込みリジェクトボックスが所定の位置に装着されているか否かを検知するセンサと、紙幣を鑑別する鑑別部と、上位装置からの命令の通信を行う通信制御部を有する制御ユニットとを具備し、前記制御ユニットは、前記センサが、前記取忘れ取込みリジェクトボックスが所定の位置に装着されていることを検知しない場合は、前記第１及び第２のリジェクトボックスをそれぞれ取忘れ取込みリジェクトボックス及び運用リジェクトボックスとして動作させ、前記センサが、前記取忘れ取込みリジェクトボックスが所定位置に装着されていることを検知した場合は、前記第１及び第２のリジェクトボックスの内何れか一方を運用リジェクトボックスとして動作させ、その後、前記通信制御部が前記上位装置から受けたリモート精査命令により、前記カセット内の現金有り高を確認する精査命令を実施した場合は、他方のリジェクトボックスを運用リジェクトボックスとして動作するように、切り換えることを特徴とする紙幣入出金自動取引機が提供される。
【００１５】
本発明では選択的に使用可能な第１及び第２の運用リジェクトボックスを備えているので、前記精査命令が遠隔地からのリモート精査命令である場合、リモート精査終了までは第１運用リジェクトボックスで運用しているとすると、精査終了後直ちに第２運用リジェクトボックスに切りかえることにより、精査後機械を休止せずに運用を行うことができる。
【００１６】
【発明の実施の形態】
以下、本発明を図面を参照して詳細に説明する。実施形態の説明において、図１に示した従来例と実質的に同一構成部分については同一符号を付して説明する。
【００１７】
図２は紙幣入出金自動取引機（Ａｕｔｏｍａｔｉｃ  Ｔｅｌｌｅｒｓ  Ｍａｃｈｉｎｅ）の外観斜視図である。ＡＴＭの表側には、カード出入口１８、通帳出入口２０、硬貨出入口２２、紙幣出入口２４、タッチパネル等の顧客操作画面２６が設けてある。
【００１８】
良く知られているように、顧客操作画面２６は、顧客に対する案内を表示したり、或いは取引に必要な情報を入力するためのものである。
【００１９】
図３は本発明実施形態のリジェクトボックスの配置を概略的に示したものである。本実施形態によると、第１運用リジェクトボックス２８と第２運用リジェクトボックス３０が分離されており、それぞれ着脱可能にＡＴＭに取りつけられる。更に、取忘れ取込みリジェクトボックス３２も着脱可能にＡＴＭに取りつけられている。
【００２０】
図４は本発明実施形態の紙幣リサイクルユニット（ＢＲＵ）３４のブロック図を示しており、ＢＲＵ３４は制御ユニット３６により制御される。
【００２１】
ＢＲＵ３４には、上述したＦカセット２、Ｒカセット４、Ｆスタッカ６、Ｒスタッカ８、第１運用リジェクトボックス２８、第２運用リジェクトボックス３０及び取忘れ取込みリジェクトボックス３２の他に入出金部４０、鑑別部４２及びバッファプール部４４が設けられている。符号３８は搬送路を示している。
【００２２】
Ｆカセット２はセパレータ２ａで仕切られており、Ｒカセット４もセパレータ４ａで仕切られている。Ｆカセット２はフロント側に設けられたカセットであり、Ｆスタッカ６への補充のための紙幣、或いは回収した紙幣を収納するものである。
【００２３】
Ｒカセット４はリア側に設置されたカセットであり、Ｒスタッカ８への補充のための紙幣、或いは回収した紙幣を収納するものである。Ｆカセット２及びＲカセット４は係員により着脱される。
【００２４】
Ｆスタッカ６はフロント側に設けられたスタッカであり、例えば一万円札を収納するものである。出金時には、Ｆスタッカ６から紙幣を繰り出して払出し、入金時には預入れた紙幣を収納する。
【００２５】
Ｒスタッカ８はリア側に設けられたスタッカであり、例えば千円札を収納する。出金時には、Ｒスタッカ８から紙幣を繰り出して払出し、入金時には預入れた紙幣を収納する。
【００２６】
第１運用リジェクトボックス２８及び第２運用リジェクトボックス３０は同一構造をしており、選択的に使用される。第１及び第２運用リジェクトボックス２８，３０は、運用時の取引で損券となった紙幣、その他の不良紙幣或いは二枚重ね等によりリジェクトされた紙幣を収納するものである。
【００２７】
取忘れ取込みリジェクトボックス３２は、取引が終了した際に顧客が取忘れ、入出金部４０内に残留した紙幣を収納するボックスである。
【００２８】
入出金部４０は、取引時に紙幣出入口２４（図２参照）から入金された紙幣や、出金する紙幣を一時的に保持しておくものである。鑑別部４２は、紙幣の鑑別（金種の鑑別、正常紙幣か否かの鑑別等）を行うものである。
【００２９】
バッファプール部４４は、入金された紙幣を一時収納したり、入金された紙幣や出金される紙幣の表裏をターンするものである。
【００３０】
以下、本実施形態の作用について説明する。取忘れ取込みリジェクトボックス３２を所定位置に装着すると、これをセンサが感知し、リモート精査対応のＡＴＭであると制御ユニット３６が認識する。
【００３１】
第１運用リジェクトボックス２８を使用してＡＴＭを運用しているとする。ＡＴＭがリモート精査命令を受取ると、制御ユニット３６がこれを認識し、ＡＴＭの運用を中止するとともに、Ｆカセット２及びＲカセット４内の現金の有り高を計数する。
【００３２】
例えば、まずＦカセット２内の紙幣を搬送路３８に繰り出し、鑑別部４２で紙幣の鑑別を行う。正常ならばＦカセット２のセパレータ２ａの上側に収納する。鑑別部４２でリジェクトされた紙幣は、第１運用リジェクトボックス２８まで搬送されて、このボックス内に収納される。
【００３３】
Ｆカセット２内の全ての紙幣の計数が終了すると、Ｒカセット４内の紙幣について同様な処理を行い、正常紙幣はセパレータ４ａより上のＲカセット４内に収納され、鑑別部４２でリジェクトされた紙幣は第１運用リジェクトボックス２８内に収納される。
【００３４】
Ｆカセット２及びＲカセット４内の紙幣の計数が終了すると、第２運用リジェクトボックス３０に自動的に切換わり、ＡＴＭの運用が再開される。よって、運用再開後に入出金取引でリジェクトされた紙幣は第２運用リジェクトボックス３０内に収納される。
【００３５】
よって、本実施形態では、リモート精査命令を受けたとき、精査中のみＡＴＭの運用を中止すれば良く、精査終了後直ちに運用すべきリジェクトボックスが切換わるため、ＡＴＭの運用再開が可能となる。
【００３６】
係員が到着すると、ＡＴＭの運用を中止することなく第１運用リジェクトボックス２８内のリジェクトされた紙幣を取り出すことができる。
【００３７】
尚、リモート操作を必要としない顧客の為に図５に示すように第１運用リジェクトボックス２８の位置に取忘れ取込みリジェクトボックス４６を配置して、標準機のタイプにすることもできる。
【００３８】
図４に示す取忘れ取込みリジェクトボックス３２の位置にリジェクトボックスが挿入されていないので、制御ユニット３６はこのＡＴＭは標準機であると認識する。この場合はＡＴＭの運用方法は図１に示した従来例と同様である。
【００３９】
更に、取忘れ取込みリジェクトボックスを仕切り板により上下二つに分け、取忘れ取込みリジェクトボックス兼ジャム紙幣ボックスとすることにより、搬送途中でジャムを起こしたジャム紙幣の保管にも対応することができる。
【００４０】
図６はリジェクトボックスの識別説明図であり、運用リジェクトボックス３０と取忘れ取込みリジェクトボックス４６は同一構造をしており、後述するスライド可能なボックス識別片とピン４８，５０の相対位置により、運用リジェクトボックス３０であるか取忘れ取込みリジェクトボックス４６であるかを識別する。
【００４１】
更に、運用中には電磁ロック５２，５４によりボックスの取り出しが不可能なようにロックをかけるとともに、電磁ロック５２，５４に連動した識別表示５６，５８により現在ボックスが運用中であるかを認識させる。
【００４２】
例えば識別表示５６，５８が赤色の場合には運用中であり、青色の場合には非運用中であるとする。非運用中の運用リジェクトボックス３０又は取忘れ取込みリジェクトボックス４６は係員により抜き出し可能である。
【００４３】
図７乃至図９を参照してリジェクトボックス６０について詳細に説明する。リジェクトボックス６０の本体６２に蓋６４が開閉可能に取りつけられている。６６は取っ手であり、６８はネームプレートである。ネームプレート６８には、使用するボックスの種類に応じて、例えば運用リジェクトボックス又は取忘れ取込みリジェクトボックスと記入する。
【００４４】
図８（Ａ）はリジェクトボックスの背面側を示しており、紙幣投入口７０及び開口７２を有している。開口７２にはボックス識別片７４がスライド可能に取りつけられている。
【００４５】
図９を参照すると、リジェクトボックス収納部７６及び７８が示されている。リジェクトボックス収納部７６は右側にピン８０を有しており、リジェクトボックス収納部７８は左側にピン８２を有している。
【００４６】
ＡＴＭがリモート精査タイプであるか、或いは標準タイプであるかは、図４に示す取忘れ取込みリジェクトボックス３２の有無により、制御ユニット３６がソフト的に識別する。
【００４７】
よって、リモート精査タイプの場合には、ボックス識別片７４を図８（Ｂ）に示すように中央に設定し、ネームプレート６８に運用リジェクトボックスとを記入する。
【００４８】
ボックス識別片７４が中央に設定されているため、この識別片７４がピン８０，８２の何れにも衝突することがないので、リジェクトボックス収納部７６及び７８内に運用リジェクトボックスを２段に収納することができる。
【００４９】
標準タイプの場合には、以下のようにボックス識別片７４を移動する。すなわち、取忘れ取込みリジェクトボックスの場合には、ボックス識別片７４を右側に移動し、運用リジェクトボックスの場合には、ボックス識別片７４を左側に移動する。
【００５０】
このようにボックス識別片７４の位置を設定すると、リジェクトボックス収納部７６には取忘れ取込みリジェクトボックスのみが収納され、リジェクトボックス収納部７８には運用リジェクトボックスのみが収納され、リジェクトボックスの誤挿入を防止することができる。
【００５１】
【発明の効果】
本発明は以上詳述したように、選択的に使用可能な第１及び第２運用リジェクトボックスを設けたので、リモート精査終了後直ちに紙幣入出金自動取引機の運用を再開することができる。これにより、遠隔地に設置した紙幣入出金自動取引機の運用効率を向上することができ、運用中止による取引の不便を最小限に抑えることができる。
【００５２】
更に、リモート精査対応を必要としない顧客に対しては、運用リジェクトボックスを取忘れ取込みリジェクトボックスに置換えることにより、従来と同様な標準機型に速やかに対応できる。
【図面の簡単な説明】
【図１】従来例のリジェクトボックスの配置を示す概略図である。
【図２】ＡＴＭの外観図である。
【図３】本発明実施形態のリジェクトボックスの配置を示す概略図である。
【図４】本発明実施形態のブロック図である。
【図５】標準機のリジェクトボックスの配置を示す概略図である。
【図６】リジェクトボックスの識別説明図である。
【図７】リジェクトボックスの表側斜視図である。
【図８】図８（Ａ）はリジェクトボックスの背面側斜視図であり、図８（Ｂ）はリジェクトボックス識別片の説明図である。
【図９】リジェクトボックスの収容部を示す図である。
【符号の説明】
２，４  カセット
６，８  スタッカ
２８  第１運用リジェクトボックス
３０  第２運用リジェクトボックス
３２  取忘れ取込みリジェクトボックス
４０  入出金部
４２  鑑別部
４４  バッファプール部
【図１】
0004330701.tif 000002
【図２】
0004330701.tif 000003
【図３】
0004330701.tif 000004
【図４】
0004330701.tif 000005
【図５】
0004330701.tif 000006
【図６】
0004330701.tif 000007
【図７】
0004330701.tif 000008
【図８】
0004330701.tif 000009
【図９】
0004330701.tif 000010